(57)【要約】【解決手段】ペットボトルＰの開口部に装着する連結体２を設ける。この連結体２を貫通してペットボトルＰの内部に挿入するストロー体１を設ける。ペットボトルＰのキャップＱを取外した開口部Ｐ１外側に嵌合する連結嵌合部３を連結体２に設ける。ペットボトルＰの開口部Ｐ１を施蓋したキャップＱの外側に嵌合する蓋嵌合部４を連結体２に設ける。ストロー体１を貫通せしめるストロー保持部２Ａの下端に前記連結嵌合部３を設ける。該連結嵌合部３の下端に前記蓋嵌合部４を設ける。人形状又はマスコット形状又はキャラクター形状に形成したカバー体６に連結体２を収納する。【効果】開封前のペットボトルに装着することができる。極めてコンパクトな状態でペットボトルとセット販売が可能になる。【選択図】　　　　図２
0003096974.tif 000002
【実用新案登録請求の範囲】
【請求項１】
ペットボトルの開口部に装着する連結体と、この連結体を貫通してペットボトルの内部に挿入するストロー体とを有する吸口付キャップにおいて、ペットボトルのキャップを取外した開口部外側に嵌合する連結嵌合部と、ペットボトルの開口部を施蓋したキャップの外側に嵌合する蓋嵌合部とを前記連結体に設けたことを特徴とするペットボトル用吸口付キャップ。
【請求項２】
前記連結体は、前記ストロー体を貫通せしめるストロー保持部の下端に前記連結嵌合部が設けられ、該連結嵌合部の下端に前記蓋嵌合部が一体に設けられ、人形状又はマスコット形状又はキャラクター形状に形成したカバー体に収納される請求項１記載のペットボトル用吸口付キャップ。
【請求項３】
前記連結体を分割自在に形成すると共に、連結体のストロー保持部下端に前記ストロー体を貫通せしめる軟質樹脂製のシール板を設け、ペットボトルの開口した口部に前記連結嵌合部をネジ止め又は嵌合し、ストロー体をペットボトルの内部に挿入したときに該シール板でペットボトルの口部を密封すると共に、ストロー体の上端開口部を施蓋するストローキャップをストロー体に設けた請求項１又は２記載のペットボトル用吸口付キャップ。
【考案の詳細な説明】
【０００１】
【考案の属する技術分野】
本考案は、ペットボトルの開封前のキャップに取付けて装着すると共に、キャップ開封後においてペットボトルの口部に吸口を取付けて飲用に使用するペットボトル用吸口付キャップに関する。
【０００２】
【従来の技術】
従来、ペットボトル等の容器口部に装着するキャップとして、例えば引用文献１に記載されたペットボトル用吸口キャップや、引用文献２に記載されたペットボトル用のストロー付き吸口キャップなどが提案されている。
【０００３】
引用文献１では、ペットボトルの口部のねじ部に係合する吸口キャップ本体にストローを連結するストロー連結部を設けたもので、ペットボトルのキャップを取外し、このキャップに代えて吸口キャップ本体を装着し、ストローで飲用物を吸引できるようにしたものである。すなわち、ペットボトルの口部のねじ部に係合する手段と、吸口キャップ本体の上端側に吸口部を突設すると共に内側方向にストローを連結するストロー連結部を内外部に貫通する手段と、先端側吸口部を蓋するキャップを設けている。
【０００４】
引用文献２は、ペットボトルの口部に折曲げ可能なストローをキャップごと装着するもので、ペットボトルの口部のねじ部に係合する手段と、吸口キャップ本体の上部端側に吸口部を突設すると共に内側方向にストローを連結するストロー連結部を内外部に貫通する手段と、先端側吸口部を蓋するキャップを設けた吸口キャップ本体に折曲げ可能なストローを着脱可能に設けたキャップである。
【０００５】
【特許文献１】
特開２０００−１６４５４
【特許文献２】
特開２００１−３５４２６０
【０００６】
【考案が解決しようとする課題】
ところが、これら引用文献１及び２に記載されている従来の吸口付キャップでは、いずれも開封した容器口部に装着することは可能でも、開封する前の容器のキャップに装着することは全く考慮されていなかった。すなわち、これら従来の吸口付キャップは、ペットボトルを開封した口部に装着して飲用に使用している。しかしながら、不使用時における従来の吸口付キャップは、ペットボトルの口部を施蓋するキャップに取付けることができないので、販売時には、ペットボトルと吸口付キャップとを別体にして販売していた。このため、従来の吸口付キャップをペットボトル入りの飲料物とセットにして販売する場合は、吸口付キャップが極めて嵩張る不都合が生じていた。
【０００７】
特に、野球場のスタンドなどにおいて、移動しながら飲料物を販売する場合は、販売者が持ち運ぶトレイの収容量が限られている。したがって、従来の吸口付キャップとペットボトル入りの飲料物とをセットにして販売する際に、この吸口付キャップが嵩張ることで、トレイに収容する飲料物の数が少なくなるなどといった大きな課題が生じている。また、従来の吸口付キャップは、ペットボトルのキャップを外した口部に装着できるので、前記移動販売において、ペットボトルのキャップを外した状態で吸口付キャップを装着し、販売することは可能になる。ところが、販売前に飲料物のキャップが開封されていると、このキャップがいつ外されたのか購買者には分からないので、信頼性及び安全性の課題が新たに生じることになる。
【０００８】
そこで本考案は、上述の課題を解消すべく案出されたもので、開封前のペットボトルに装着することができ、極めてコンパクトな状態でセット販売が可能になるペットボトル用吸口付キャップの提供を目的とするものである。
【０００９】
【課題を解決するための手段】
上述の目的を達成すべく本考案の第１の手段は、ペットボトルＰの開口部に装着する連結体２と、この連結体２を貫通してペットボトルＰの内部に挿入するストロー体１とを有する吸口付キャップにおいて、ペットボトルＰのキャップＱを取外した開口部Ｐ１外側に嵌合する連結嵌合部３と、ペットボトルＰの開口部Ｐ１を施蓋したキャップＱの外側に嵌合する蓋嵌合部４とを前記連結体２に設けたことにある。
【００１０】
第２の手段において連結体２は、前記ストロー体１を貫通せしめるストロー保持部２Ａの下端に前記連結嵌合部３を設け、該連結嵌合部３の下端に前記蓋嵌合部４を一体に設け、人形状又はマスコット形状又はキャラクター形状に形成したカバー体６に収納されている。
【００１１】
第３の手段は、連結体２を分割自在に形成すると共に、連結体２のストロー保持部２Ａ下端に前記ストロー体１を貫通せしめる軟質樹脂製のシール板５を設け、ペットボトルＰの開口した口部Ｐ１に前記連結嵌合部３をネジ止め又は嵌合し、ストロー体１をペットボトルＰの内部に挿入したときに該シール板５でペットボトルＰの口部Ｐ１を密封すると共に、ストロー体１の上端開口部を施蓋するストローキャップ１Ａをストロー体１に設けたことを課題解消のための手段とする。
【００１２】
【考案の実施の形態】
以下、図面を参照して本考案の実施の形態を説明する。
【００１３】
本考案の基本構成は、ペットボトルＰの開口部に装着する連結体２と、この連結体２を貫通してペットボトルＰの内部に挿入するストロー体１とからなる（図２参照）。ストロー体１には、ストロー体１の上端開口部を施蓋する着脱自在なストローキャップ１Ａを設けてあり、ストロー体１から内容物が漏れるのを防止している（図１参照）。
【００１４】
一方、連結体２には、ペットボトルＰのキャップＱを取外した後の開口部Ｐ１外側に嵌合する連結嵌合部３を設けている（図３参照）。図示の連結嵌合部３は、ペットボトルＰの開口部Ｐ１に設けられたネジ山にネジ止めする雌ネジ状に形成してある。この際、ネジ山は円周方向に連続している必要はなく、後述するシール板５が開口部Ｐ１に圧着するように嵌合できれば良いものである。図示例では連結体２を分割自在に形成している。すなわち、左右に分割した部材を一体に接合して連結体２を形成するもので、分割される部材各々に連結嵌合部３を設けてある。また、開口部Ｐ１のネジ山に強制的に嵌合する複数条の凸条を形成してもよく、嵌合手段は任意に設定できるものである。
【００１５】
更に連結体２には、連結嵌合部３と共に蓋嵌合部４を設けている（図４参照）。この蓋嵌合部４は、ペットボトルＰのキャップＱ外側に嵌合する部分で、ペットボトルＰのキャップＱが未開封の状態でも、この蓋嵌合部４によって本考案吸口付キャップを装着することができるようにしている。図示の蓋嵌合部４は、連結嵌合部３の下端に連続して設けてあり、キャップＱ開封前、あるいは開封後のいずれの状態でも、連結体２の姿勢を変えずに強固に固定できるように設けている（図２参照）。また、蓋嵌合部４は、図示例に限定されるものではなく、連結嵌合部３の位置から離して設けることも可能である（図示せず）。
【００１６】
更に、連結体２は、人形状又はマスコット形状又はキャラクター形状に形成したカバー体６に収納されている（図２参照）。このカバー体６は、連結体２のストロー保持部２Ａ、連結嵌合部３、蓋嵌合部４を一体に覆うもので、連結体２の外観を任意の形状にすることができる。この場合、前記の如く、蓋嵌合部４を連結嵌合部３の下端に連続して設けると、連結体２の姿勢を変えずにペットボトルＰに固定できるのでカバー体６の姿勢も変わらない。図示例のカバー体６は、内部が空洞の二つ割状の人形形状を成している。このカバー体６は、図示例に限られるものではない。
【００１７】
シール板５は、連結体２のストロー保持部２Ａ下端に設けた板状の部材で、前記ストロー体１を貫通した状態でペットボトルＰの開口部Ｐ１に圧着する（図３参照）。このシール板５は、密封性に優れた軟質樹脂材を使用し、ストロー体１の貫通部分やペットボトルＰの圧着部分の密封性を高めている。図示のシール板５は、ストロー保持部２Ａと連結嵌合部３との連続部分に配している（図２参照）。そして、ペットボトルＰの口部Ｐ１に連結嵌合部３を嵌合すると、該シール板５でペットボトルＰの口部Ｐ１が密封されるものである（図３参照）。このシール板５を使用することで、分割形成した連結体２の連結嵌合部３を確実にシールすることが可能になる。
【００１８】
【考案の効果】
本考案は上述の如く構成したことにより、当初の目的を達成した。
【００１９】
すなわち、ペットボトルＰのキャップＱを取外した開口部Ｐ１外側に嵌合する連結嵌合部３と、ペットボトルＰの開口部Ｐ１を施蓋したキャップＱの外側に嵌合する蓋嵌合部４とを連結体２に設けたことにより、開封前のペットボトルに装着することが可能になった。この結果、本考案吸口付キャップとペットボトルＰ入りの飲料物とをコンパクトな状態でセットにして販売することができ、例えば野球場のスタンドなどで移動販売する際に、合理的且つ、信頼性の高い販売が可能になった。
【００２０】
特に本考案では、開封前のキャップＱに装着できることから、販売前のペットボトルＰ製品に、本考案吸口付キャップを装着した状態で製品とセットにして販売することができる。この場合、本考案吸口付キャップは、ペットボトルＰの上部に装着されているので、全く嵩張ることがない。したがって、野球場などのスタンドで移動しながら販売する場合などのように、販売者が持ち運ぶトレイにペットボトルＰを収納する場合でも、本考案吸口付キャップを装着することによって、ペットボトルＰの収納本数が少なくなるといった不都合も解消された。
【００２１】
また、連結体２において、前記ストロー体１を貫通せしめるストロー保部２Ａの下端に前記連結嵌合部３を設け、該連結嵌合部３の下端に前記蓋嵌合部４を一体に設けているので、ペットボトルＰの内部に挿入したストロー体１を開口部Ｐ１に強固に保持固定できる。この結果、ストロー体１に思わぬ負荷が掛かっても、ストロー体１や連結嵌合部３の脱落や漏れなどを確実に防止する。
【００２２】
しかも、人形状又はマスコット形状又はキャラクター形状に形成したカバー体６に連結体２を収納することで、本考案吸口付キャップを宣伝用の媒体や販促商品などとして使用することが可能である。
【００２３】
更に、分割自在に形成した連結体２のストロー保持部２Ａ下端に前記ストロー体１を貫通せしめる軟質樹脂製のシール板５を設けると共に、ストロー体１の上端開口部を施蓋するストローキャップ１Ａをストロー体１に設けたことで、本考案吸口付キャップを開口したペットボトルＰに装着した場合でも、ペットボトルＰの内容物がストロー体１や、分割された部材を接合して形成された連結嵌合部３などから漏れることなく安全に使用することができる。
【００２４】
このように、本考案によると、開封前のペットボトルに装着することができ、極めてコンパクトな状態でセット販売が可能になり、安全で信頼性の高いペットボトル用吸口付キャップの提供できるなどといった種々の効果を奏するものである。
【図面の簡単な説明】
【図１】本考案の一実施例を示す正面図である。
【図２】本考案の分解斜視図である。
【図３】本考案の連結嵌合部の嵌合状態を示す要部断面図である。
【図４】本考案の蓋嵌合部の嵌合状態を示す要部断面図である。
【符号の説明】
Ｐ　ペットボトル　　Ｐ１　開口部
Ｑ　キャップ
１　ストロー体　　　１Ａ　ストローキャップ
２　連結体　　　　　２Ａ　ストロー保持部
３　連結嵌合部
４　蓋嵌合部
５　シール板
６　カバー体
【図１】
0003096974.tif 000003
【図２】
0003096974.tif 000004
【図３】
0003096974.tif 000005
【図４】
0003096974.tif 000006